(57)【要約】【課題】  従来の電気スタンドは、照明を目的とするものなので大型で明るく、眩しさを防止するシェードも、解放型で光源の周囲が閉止されていないため、就寝時に使用するには眩しく明るすぎ、消灯することになっていた。従来のナツメ球に切替え使用するものでもやはり明るすぎた。【解決手段】  電源ソケット２を台１の中央部に設け、この電源ソケット２にＬＥＤナツメ球３を挿入し、このＬＥＤナツメ球３の周囲を囲うようにシェード４を設けて形成し、前記シェード４の下シェード５は、椀型の型枠５Ａに透過膜５Ｃを貼り付け下部に貫通孔５Ｂを設け、前記ＬＥＤナツメ球３の周囲を囲うよう前記台１に固定し、前記上シェード６は周囲に折り縁６Ａと中央部に通気口６Ｂを設け、この通気口６Ｂの上部には折り縁７Ａと止め足７Ｂを有する遮光板７を固定して一体化し、これを前記下シェード５に被せて構成する。【選択図】図１
2012089461.tif 000002
【特許請求の範囲】
【請求項１】
電気スタンドにおいて、台とこの台に設けられる電源ソケットと、この電源ソケットに挿入されるＬＥＤナツメ球と、このＬＥＤナツメ球周囲のシェードとからなり、前記電源ソケットは前記台の中央部に設け、前記ＬＥＤナツメ球を挿入可能にし、前記シェードは下シェードに上シェードを被せるように形成し、この下シェードは椀型の型枠に透過膜を貼り付け下部に貫通孔を設け、前記ＬＥＤナツメ球の周囲を囲うよう前記台に固定し、前記上シェードは周囲に折り縁と中央部に通気口を設け、この通気口の上部には折り縁と止め足を有する遮光板を固定して、構成することを特徴とする就寝用電気スタンド。
【発明の詳細な説明】
【技術分野】
【０００１】  この発明は、ＬＥＤナツメ球とこれを覆うシェードとを有する、就寝用電気スタンドに関するものである。
【背景技術】
【０００２】  従来の電気スタンドは、光源が大きいので大型となり、照明を目的とするため明るく、眩しさを防止するシェードも放熱のため解放型で、目に眩しい光源であった。
【先行技術文献】
【特許文献】
【０００３】
【特許文献１】  特開２００９−２９５５６２号公報
【特許文献２】  特開２００９−１３４９６１号公報
【特許文献３】  特開２００８−１４６９９６号公報
【特許文献４】  特開２００４−２７３４０２号公報
【特許文献５】  実用開平５−２３３１２号公報
【発明の概要】
【発明が解決しようとする課題】
【０００４】  上記のように従来の電気スタンドは、照明を目的としているため大型で明るく、眩しさを防止するシェードも解放型で周囲が閉止されていないので、就寝時に使用するには明るすぎ、消灯することになっていた。従来のナツメ球に切り替える形式のものでもやはり明るすぎた。【０００５】  この発明は、上記のような問題点を解決するためになされたもので、ＬＥＤナツメ球とこれの周囲を覆うシェードとからなり、柔らかい光を得て快い睡眠を可能にする、就寝用電気スタンドを得ることを目的とする。
【課題を解決するための手段】
【０００６】  この発明の就寝用電気スタンドは、台とこの台に設けられる電源ソケットと、この電源ソケットに挿入されるＬＥＤナツメ球と、このＬＥＤナツメ球周囲のシェードとからなり、前記電源ソケットは台の中央部に設け、前記ＬＥＤナツメ球を挿入可能にし、前記シェードは下シェードに上シェードを被せるように形成し、この下シェードは椀型の型枠に透過膜を貼り付け下部に貫通孔を設け、前記ＬＥＤナツメ球の周囲を囲うよう前記台に固定し、前記上シェードは周囲に折り縁と中央部に通気口を設け、この通気口の上部には折り縁と止め足を有する遮光板を固定して、構成するものである。
【発明の効果】
【０００７】  この発明の就寝用電気スタンドは、光源のＬＥＤナツメ球が小さく殆ど発熱しないので、小型化することができ、手のひらに乗せられる程度のものまで可能で可愛いものになる。また、眩しさを防止するシェードは光源の周囲全体を覆っているので、眩しさが無く薄明かり程度の柔らかい光が得られ、快適な睡眠をとることができる。それに、消費電力が少なく、発熱も殆ど無く寿命も長いので経済的である。
【図面の簡単な説明】
【０００８】
【図１】は、この発明の就寝用電気スタンドの外観斜視図である。
【図２】は、この発明の眩しさを防止するシェード部の断面図である。
【図３】は、この発明の実施形態２を示す組み立て斜視図である。
【発明を実施するための形態】
【実施例１】
【０００９】  図は、この発明の一実施形態を示すもので、図１は、就寝用電気スタンドの外観斜視図である。図２は、就寝用電気スタンドの眩しさを防止するシェード部の断面図である。図３は、就寝用電気スタンドに関する実施形態２を示す組み立て斜視図である。【００１０】  図において、台１の表面中央部に電源ソケット２を設け、ＬＥＤナツメ球３を上から挿入可能にする。眩しさを防止するシェード４は、下シェード５に上シェード６を被せるように形成する。前記下シェード５は椀型の型枠５Ａの側面に光を透過する透過膜５Ｃを貼り付け、下部に貫通孔５Ｂを設け、前記ＬＥＤナツメ球３を囲うように台１に固定する。前記上シェード６は円形の板状で、周囲に折り縁６Ａと中央部に通気口６Ｂを設け、この通気口６Ｂの上部には円形の板状で、全周に折り縁７Ａと少し突出した止め足７Ｂを有する遮光板７を止め足７Ｂで固定し一体化して、構成するものである。【００１１】  前記シェード４は下シェード５を椀型に、上シェード６をふた形状としたが、全体を行灯型、提灯型、球型その他種々な形状とすることもできる。【００１２】  前記シェード４は上下合体して一体とすることもでき、プラスチック材やガラス材を使用すれば、前記型枠５Ａは省略することができる。【００１３】  前記下シェード５と上シェード６は、蝶番状のもので一箇所固定すれば自由に開閉ができ、開ければ簡単に明るくすることができる。【００１４】  前記上シェード６は折り縁６Ａを省きふた状として、前記下シェード５に落とし込む形状とすることもできる。【００１５】  前記ＬＥＤナツメ球３は殆ど発熱しないので、透過膜５Ｃは和紙や布も使用でき、キャラクタ等を描き込みデザイン化すれば、小さくて可愛いものができる。【００１６】  この就寝用電気スタンドでは畳上に直接置く形状としたが、従来のように支柱の上に設ける形状にすることもできる。【００１７】  また、就寝用電気スタンド等は組み立てキット式にして、興味を持たせるような形状とすることもできる。
【実施例２】
【００１８】  Ｌ字状の衝立板８は平板８Ａと縦板８Ｂとからなり、この縦板８Ｂは半円状に形成し、この平板８Ａには前記就寝用電気スタンドの台１を固定して構成する。【００１９】  使用法については従来のものと違いはないが、図３に示すように、Ｌ字状の衝立板８の平板８Ａに固定して構成したものは、就寝時に枕元に置いて使用すれば、頭を上げたりどのように寝転んでも、光が直接目に入ることがなく快適に就寝することができる。ただし、上シェード６や遮光板７は光が透過しない材料を使用するのがよい。【００２０】  前記ＬＥＤナツメ球３は、現在白色、青色、赤色、電球色等種々なものが販売されており、適当に差し替えすれば発光色を楽しむことができる。特に、青色のものは前記遮光板７の周りと下シェード５の側面が発光する様は、夏は涼しく幻想的に感じる。【００２１】  前記台１の裏面に永久磁石を設け乾電池電源として、冷蔵庫の側面に取り付けて使用すれば、予定表等の確認が楽しくできる。【００２２】  また、実施例１において、電源リード９を省き前記台１の裏側に電源差し込みブラグを設けて、電源コンセントに差し込めば一体化し、転倒せず安定して使用することもできる。
【符号の説明】
【００２３】  １  台                    ２  電源ソケット            ３  ＬＥＤナツメ球
４  シェード              ５  下シェード              ５Ａ  型枠
５Ｂ  貫通孔              ５Ｃ  透過膜                ６  上シェード
６Ａ  折り縁              ６Ｂ  通気口                ７  遮光板
７Ａ  折り縁              ７Ｂ  止め足                ８  衝立板
９  電源リード
【図１】
2012089461.tif 000003
【図２】
2012089461.tif 000004
【図３】
2012089461.tif 000005